(57)【要約】【課題】Ｘ線透視撮影装置を用いて胸部撮影を行うとき被検者に不自然な姿勢をとらせないために、片持ち式のカセッテホルダをＸ線透視撮影装置の映像系移動部に取り付けて、Ｘ線フィルムを内蔵したカセッテを天板の前面部に配置する方法が用いられるが、このような構成のカセッテホルダは一方の端部のみで支持されているため、被検者が不用意にカセッテホルダに寄りかかったとき天板の側にたわんで破損するおそれがある。【解決手段】カセッテホルダ１７の枠１のＨ字の２本の縦線部の映像系移動部８への取付部と反対の端部付近の天板側の面に腕部材４をラッチ機構により取り付け、撮影時に腕部材４を図１に示すように天板に垂直に固定することにより、被検者が不用意にカセッテホルダ１７に寄りかかっても、枠１のわずかな撓みにより腕部材４が天板に接触してそれ以上の撓みを防止するのでカセッテホルダ１７の破損のおそれがなくなる。【選択図】          図１
0003125709.tif 000002
【実用新案登録請求の範囲】
【請求項１】
垂直に立設された天板に近接して配設されるＸ線受光部と、前記Ｘ線受光部を保持する受光部保持装置を備え、Ｘ線発生部と前記Ｘ線受光部の間に配置された被検者のＸ線撮影を行うＸ線透視撮影装置において、前記受光部保持装置には前記天板の側への突設と退避が切換可能な支持枠を設け、前記支持枠を突設させたとき前記被検者からの荷重が前記受光部保持装置に作用しても、前記荷重が前記支持枠を経由して前記天板により受け止められるようにしたことを特徴とするＸ線透視撮影装置。
【請求項２】
支持枠は受光部保持装置の枠に起伏自在に設置された腕部材で構成され、前記腕部材が天板に垂直な位置と平行な位置の二つの位置に切換可能に構成されていることを特徴とする請求項１記載のＸ線透視撮影装置。
【請求項３】
腕部材の断面の一部がＬ字型であることを特徴とする請求項１または請求項２記載のＸ線透視撮影装置。
【考案の詳細な説明】
【技術分野】
【０００１】
本考案はＸ線受光部ホルダを装着可能なＸ線透視撮影装置に関する。
【背景技術】
【０００２】
Ｘ線透視撮影装置により胸部撮影を行う場合、図３に示すように立位状態の透視台本体１０に摺動可能に取り付けられた天板７の前面に被検者１４を天板７側に向いて立たせて、被検者１４の後方に配置されたＸ線管１３から照射されるＸ線を天板７の裏面に配置される速写装置１５またはその代わりに配置されるカセッテ（図示しない）に内蔵されるＸ線フィルム（図示しない）で受光することにより行われる。なおＸ線管１３、速写装置１５および、例えばイメージインテンシファイアとテレビカメラにより構成される透視用受光部１６はいずれも、透視台本体１０に天板７の長手方向に移動可能に取り付けられた映像系移動部８に取り付けられており、３者が天板７に平行に一体的に移動できるように構成されている。
【０００３】
ただし上記の方法で胸部撮影を行う場合、Ｘ線受光部であるＸ線フィルムが天板７の裏面に配置されるので、被検者１４は撮影部位である胸部をできるだけＸ線受光部に近づけるために天板７に接近させると、顔等が天板７と干渉するため極めて不自然な姿勢をとらざるを得ない。この不都合を解消するために、天板７がその長辺に沿う蝶番（図示しない）によって回動可能に透視台本体１０に取り付けられ、天板７を蝶番の回転軸のまわりに約９０度回動させて、Ｘ線管１３とＸ線受光部を結ぶ照射経路から退避させる構成のＸ線透視撮影装置等も考案されている（たとえば特許文献１参照）。
【０００４】
しかしながら上述のような装置は構成が複雑になりコストアップになるため、比較的コストアップが少なくてすむ図４および図５に示すような方法が実用化されている。これは天板７の前面部にＸ線受光部としてＸ線フィルムを内蔵したカセッテ１１を配置する方法であり、具体的にはＨ字型の枠１とその前面に取り付けられたグリッド２および裏面に取り付けられた板（図示しない）により構成されるカセッテホルダ９の一方の端部をＸ線透視撮影装置の映像系移動部８に取り付け、他方の端部から枠１とその前面に取り付けられたグリッド２および裏面に取り付けられた板で囲まれた空間にカセッテ１１を挿入することにより配置される。これにより被検者１４は顔等が天板７と干渉することなく自然な姿勢で胸部をカセッテ１１に接近させることができる。なおカセッテホルダ９はフックで映像系移動部８に掛着する方法等により映像系移動部８に着脱可能に取り付けられている。
【特許文献１】特開平１１−１３７５４４号公報
【考案の開示】
【考案が解決しようとする課題】
【０００５】
図５に示すような片持ち式のカセッテホルダ９をＸ線透視撮影装置の映像系移動部８に取り付けて、Ｘ線フィルムを内蔵したカセッテ１１を天板７の前面部に配置することにより、被検者１４に不自然な姿勢をとらせることなくＸ線透視撮影装置を用いて胸部撮影を行うことができるが、このような構成のカセッテホルダ９は一方の端部のみで支持されているため、被検者１４が不用意にカセッテホルダ９に寄りかかったとき枠１が天板７の側に撓んで破損するおそれがある。本考案はこの問題を解決するためのものである。
【課題を解決するための手段】
【０００６】
請求項１記載の考案は上記の目的を達成するために、垂直に立設された天板に近接して配設されるＸ線受光部と、前記Ｘ線受光部を保持する受光部保持装置を備え、Ｘ線発生部と前記Ｘ線受光部の間に配置された被検者のＸ線撮影を行うＸ線透視撮影装置において、前記受光部保持装置には前記天板の側への突設と退避が切換可能な支持枠を設け、前記支持枠を突設させたとき前記被検者からの荷重が前記受光部保持装置に作用しても、前記荷重が前記支持枠を経由して前記天板により受け止められるようにしたＸ線透視撮影装置を提供する。
【０００７】
請求項２記載の考案は上記の目的を達成するために、支持枠は受光部保持装置の枠に起伏自在に設置された腕部材で構成され、前記腕部材が天板に垂直な位置と平行な位置の二つの位置に切換可能に構成されている請求項１記載のＸ線透視撮影装置を提供する。
【０００８】
請求項３記載の考案は上記の目的を達成するために、腕部材の断面の一部がＬ字型である請求項１または請求項２記載のＸ線透視撮影装置を提供する。
【考案の効果】
【０００９】
Ｘ線透視撮影装置の天板の前面部にＸ線フィルムを内蔵したカセッテを配置する、片側の端部のみでＸ線透視撮影装置に装着されるカセッテホルダの反対側の端部に、天板とカセッテホルダの間の距離よりわずかに短い腕部材を天板側に向けて設けることにより、被検者が不用意にカセッテホルダに寄りかかっても、カセッテホルダのわずかな撓みにより腕部材が天板に接触してそれ以上の撓みが防止されるので、カセッテホルダの破損のおそれがなくなる。
【考案を実施するための最良の形態】
【００１０】
本考案の実施例を図１および図２により説明する。図１はＸ線透視撮影装置の映像系移動部８に取り付けられる本考案によるカセッテホルダ１７の外観図であり、図２（ａ）はカセッテホルダ１７をＸ線管（図示しない）側から見た図である。また図２（ｂ）は図２（ａ）を下からみた図であり、図２（ｃ）は図２（ｂ）を左から見た図である。カセッテホルダ１７はＨ字型の枠１を主要な構成品とし、Ｈ字の２本の縦線部の片側の端部がフック部１２により映像系移動部８に着脱可能に掛着されている。これによりカセッテホルダ１７は映像系移動部８に垂直に、すなわち天板７に平行に支持される。そしてカセッテホルダ１７のＨ字の横線部により分けられる２個の領域のうちフック部１２と反対の側において、枠１のＸ線管側の面にグリッド２を、天板７側の面に板３を、Ｈ字の横線部からほぼ端部までを覆うように取り付けることにより、グリッド２、板３、枠１のＨ字の２本の縦線部および横線部により囲まれるカセッテ挿入空間６が形成される。
【００１１】
以上は背景技術の項で図５を用いて説明した従来のカセッテホルダ９の構成と同じであるが、本考案によるカセッテホルダ１７には枠１のＨ字の２本の縦線部のフック部１２と反対の端部付近の天板７側の面にラッチ機構１８により、幅が枠１のＨ字の２本の縦線部の間隔よりわずかに広く、断面がＬ字型の金属製の板の互いに直交する２面の一方の面について両端部のみを適当な幅で残して切り取った形状の腕部材４が取り付けられている。腕部材４はラッチ機構１８により図２（ｂ）に実線で示す天板７に垂直な位置、または回転軸５を中心に９０度回転して、図２（ｂ）に破線で示す、天板７に平行な位置のいずれかで固定することができるので、カセッテホルダ１７を映像系移動部８に取り付けて撮影に使用するときは実線で示す位置に、映像系移動部８から取り外して収納しておくときは破線で示す位置に腕部材４を固定する。なお腕部材４は図２（ｂ）の実線で示す位置と破線で示す位置の間を移動可能なように、実線で示す位置に固定されたときその底面が天板７の表面に届かない長さであるとともに、被検者がカセッテホルダ１７に寄りかかって枠１が撓んだとき腕部材４の底面が天板７の表面に当接してカセッテホルダ１７の破損を防止できる長さになっている。
【００１２】
この結果カセッテホルダ１７をフック部１２により映像系移動部８に垂直に掛着したとき、腕部材４を図２（ｂ）に実線で示すように天板７に垂直に固定することにより、被検者（図示しない）が不用意にカセッテホルダ１７に寄りかかっても、枠１のわずかな撓みにより腕部材４が天板７に当接してそれ以上の撓みを防止するのでカセッテホルダ１７の破損のおそれがなくなる。またカセッテホルダ１７を映像系移動部８から取り外して収納しておくときは、腕部材４を図２（ｂ）に破線で示す位置で固定することにより、腕部材４が収納の邪魔にならないようにすることができる。
【００１３】
上記の実施例では胸部撮影時のＸ線受光部としてＸ線フィルムを内蔵したカセッテ１１を用いて説明したが、カセッテ１１の代わりに画像処理装置にケーブルにより接続されたフラットパネル型検出器を用いる場合にも本考案は有効である。
【００１４】
上記の実施例では腕部材４をその断面がＬ字型の構成にしたが、上述の目的を達成できればその形状にこだわるものではない。ただしＬ字型の構成にすると、カセッテ１１またはフラットパネル型検出器をカセッテホルダ１７に挿入したまま持ち運ぶときや収納しておくときふたの役目を果たすのでカセッテ１１等のカセッテホルダ１７からの脱落を防止することができる。
【産業上の利用可能性】
【００１５】
本考案はＸ線透視撮影装置に装着して使用する受光部ホルダに関する。
【図面の簡単な説明】
【００１６】
【図１】本考案の実施例を説明するための図である。
【図２】本考案のカセッテホルダの構成例を説明するための図である。
【図３】透視台により胸部撮影を行う方法を説明するための図である。
【図４】透視台により胸部撮影を行う別の方法を説明するための図である。
【図５】透視台により胸部撮影を行うとき用いられる従来のカセッテホルダの構成例を説明するための図である。
【符号の説明】
【００１７】
１：枠
２：グリッド
３：板
４：腕部材
５：回転軸
６：カセッテ挿入空間
７：天板
８：映像系移動部
９：カセッテホルダ
１０：透視台本体
１１：カセッテ
１２：フック部
１３：Ｘ線管
１４：被検者
１５：速写装置
１６：透視用受光部
１７：カセッテホルダ
【図１】
0003125709.tif 000003
【図２】
0003125709.tif 000004
【図３】
0003125709.tif 000005
【図４】
0003125709.tif 000006
【図５】
0003125709.tif 000007